(57)【要約】      （修正有）【課題】オゾンにより油脂分を分解及び脱臭させるグリストラップにおいて、温度、湿度に応じて、オゾン発生量を調整出来るオゾン発生装置を提供する。【解決手段】オゾン発生装置の空気取り入れ口１より入った空気は、プレエアーフィルター２で除塵され、電磁式エアーポンプ３を通り二回路に分かれる。一つはアフターエアーフィルター４でほぼ完全に除塵され、オゾン発生器５を通りオゾン流量調節バルブ１５により流量調節され、別の一つはそのままの空気回路で、エアー流量調節バルブ１４により流量調節されている。オゾン発生器５より排出されるオゾン量は、一定量を保持するために、自動電圧調整器７により高圧電源トランス６の出力電圧を調整する。【選択図】図１
0003148143.tif 000002
【実用新案登録請求の範囲】
【請求項１】
オゾン発生を放電により行はせる、オゾン発生器を搭載したオゾン発生装置において、環境の温度並びに湿度変化に対応して、自動的に放電電圧を変化させて、オゾン発生量が調節できることを特徴としたオゾン発生装置。
【請求項２】
放電電圧の変化を、高圧トランスの一時側入力（低圧側）電圧を、固定抵抗の切り替えにより行うことを特徴としたオゾン発生装置。
【請求項３】
放電電圧の変化を、高圧トランスの一時側入力（低圧側）電圧を、可変抵抗の切り替えにより行うことを特徴としたオゾン発生装置。
【考案の詳細な説明】
【技術分野】
【０００１】    本考案は、グリストラップ等で、廃水油脂分の脱臭、分解処理を行うオゾン発生装置の技術に関するものである。
【背景技術】
【０００２】    オゾン発生装置で、温度並びに湿度変化に左右されず、常に一定のオゾン発生量を維持、調節出来る装置を持った装置がなかった。
【考案の開示】
【考案が解決しようとする課題】
【０００３】    放電方式によるオゾン発生器では、その発生量が使用環境の温度、湿度に大きく影響されることは周知である。【０００４】    図３は変化を示す一例で、平成１５年度九州沖縄農業研究センター成果情報第００３２００３１９９に示されている。【０００５】    オゾン発生装置を使用するグリストラップの周辺は、日内、日間及び季節間により湿度並びに温度など、環境が変動するのが通常で、その都度オゾン発生量が変化している。上記オゾン発生器を使用した場合、オゾン不足は油脂分の脱臭、分解が進まず悪臭が出、過剰となるとオゾン臭が出、更に人体にも害を及ぼすという問題がある。
オゾン発生器の電圧を固定した場合、変動する環境条件に合わせ、適切なオゾン量の供給が出来なかった。
【問題を解決するための手段】
【０００６】    本考案は、オゾンによる油脂分解方式の、グリストラップに供給するオゾン量調節を、周辺温度並びに湿度など環境変化に対応し、オゾン発生器に掛ける電圧を自動的に調節することにより行う。
【考案の効果】
【０００７】    本考案に依れば、適切なオゾン量を、グリストラップに供給することが出来るため、常に廃油脂の脱臭、分解を適切に行うことが出来る。
【考案を実施するための最良の形態】、【０００８】    グリストラップに供給するオゾン量を一定にするため、周辺温度並びに湿度など環境変化を測定し、設定された温度並びに湿度で働く調節器を用い、オゾン発生器に掛ける電圧を自動的に調節することにより行う。
【実施例】
【０００９】    図面に基づき説明すると、図１オゾン発生装置の空気取り入れ口１より入った空気は、プレエアーフィルター２で除塵され、電磁式エアーポンプ３を通り二回路に分かれる。
一つはアフターエアーフィルター４でほぼ完全に除塵され、オゾン発生器５を通りオゾン流量調節バルブ１５により流量調節され、別の一つはそのままの空気回路で、エアー流量調節バルブ１４により流量調節されている。
混合気出口１７より排出される混合ガスは、所定混合比率となるようオゾン流量調節バルブ１５と、エアー流量調節バルブ１４により調節し、廃油脂分の脱臭、分解に使用される。
オゾン発生器５より排出されるオゾン量は、前述のごとく環境の温度と湿度に大きく影響される。従って、一定量を保持するために、自動電圧調整器７により高圧電源トランス６の放電電圧調整を行っている。【００１０】  具体的には、図２の抵抗器５ラインと１００Ｖライン１０（又は抵抗器）を切り替えて行う。即ち、湿度センサー３及び温度センサー４は、設定湿度及び設定温度以下ではリレー２がＯＮで、電気回路は抵抗器５ラインを通る。又湿度センサー及び温度センサーのどちらでも設定値を超えた場合にはリレー２はＯＦＦとなり、電気回路は１００Ｖライン１０に切り替わる。抵抗器５ライン、１００Ｖライン１０共に図１の高圧電源トランス６に電圧を供給する。【００１１】  図２の調節用抵抗器５の値は、下表に示すようにその抵抗の大きさに応じて発生量を変化させることが出来る。
0003148143.tif 000003
【００１２】  調節用抵抗器は、固定抵抗だけでなく可変抵抗器にも置き換えることは可能である。【００１３】  又抵抗器は２個のみならず、多数この並列切り替えも回路により可能である。
【図面の簡単な説明】
【００１４】
【図１】本考案のオゾン発生装置全体系統を示すものである
【図２】本校案の自動電圧調整器の系統を示すものである
【図３】オゾン発生量に対する温度の影響を示すものである
【図４】オゾン発生量に対する湿度の影響を示すものである［図３］［図４］は平成１５年度九州沖縄農業研究センター成果情報第００３  ２００３１９９より引用
【符号の説明】
【００１５】図１オゾン発生装置
１．エアー取り入れ口
２．プレエアーフィルター
３．電磁式エアーポンプ
４．アフターエアーフィルター
５．オゾン発生器
６．高圧電源トランス
７．自動電圧調節器
８．高圧回路
９．変圧回路
１０．１００Ｖライン
１１．アース
１２．端子板
１３．ＡＣ１００Ｖライン
１４．エアー流量調節バルブ
１５．オゾン流量調節バルブ
１６．エアー回路
１７．オゾン、エアー混合気出口
【００１６】図２自動電圧調整器
１．切り替えリレースイッチ
２．湿度センサースイッチ
３．温度センサースイッチ
４．抵抗器
５．１００Ｖライン
６．オゾン発生器スイッチ（兼自動調節器用開閉スイッチ）
７．１００Ｖライン
８．出力（高圧電源トランスの入力側へ）
９．１００Ｖライン（又は抵抗器）
【図１】
0003148143.tif 000004
【図２】
0003148143.tif 000005
【図３】
0003148143.tif 000006
【図４】
0003148143.tif 000007
【手続補正書】
【提出日】平成20年8月7日(2008.8.7)
【手続補正１】
【補正対象書類名】実用新案登録請求の範囲
【補正対象項目名】全文
【補正方法】変更
【補正の内容】
【実用新案登録請求の範囲】
【請求項１】
オゾン発生を放電により行わせる、オゾン発生器を搭載したオゾン発生装置において、設定した温度並びに湿度条件に対し、それぞれが単独又は同時にこれを超えた場合、温度センサースイッチ並びに湿度センサースイッチがそれぞれ単独又は同時に作動し、抵抗器入り回路から、１００Ｖ回路に切り替わり、放電電圧を高めてオゾン発生量を増加させ、又条件をそれぞれが同時に低下した場合は温度センサー及び湿度センサースイッチが同時に作動し、１００Ｖ回路から抵抗器入り回路に切り替わり、放電電圧を低めてオゾン発生量を減少させる様な、オゾン発生量自動調節機能を持ったことを特徴としたオゾン発生装置。
【請求項２】
請求項１で使用する抵抗器の種類を固定抵抗器により行うことを特徴とするオゾン発生装置
【請求項３】
請求項１で使用する抵抗器の種類を可変抵抗器により行うことを特徴とするオゾン発生装置
【手続補正書】
【提出日】平成20年10月21日(2008.10.21)
【手続補正１】
【補正対象書類名】実用新案登録請求の範囲
【補正対象項目名】全文
【補正方法】変更
【補正の内容】
【実用新案登録請求の範囲】
【請求項１】
オゾン発生を放電により行わせる、オゾン発生器を搭載したオゾン発生装置において、設定した温度並びに湿度条件に対し、それぞれが単独又は同時にこれを超えた場合、温度センサースイッチ並びに湿度センサースイッチがそれぞれ単独又は同時に作動し、抵抗器入り回路から、１００Ｖ回路に切り替わり、放電電圧を高めてオゾン発生量を増加させ、又条件をそれぞれが同時に低下した場合は温度センサー及び湿度センサースイッチが同時に作動し、１００Ｖ回路から抵抗器入り回路に切り替わり、放電電圧を低めてオゾン発生量を減少させる様な、オゾン発生量自動調節機能を持ったことを特徴としたオゾン発生装置。
【請求項２】
前記抵抗器の種類を固定抵抗器により行うことを特徴とする請求項１記載のオゾン発生装置
【請求項３】
前記抵抗器の種類を可変抵抗器により行うことを特徴とする請求項１記載のオゾン発生装置